(57)【要約】【課題】安全性を担保しながら、使い勝手を向上し得るハイブリッド式温風暖房機を提供する。【解決手段】運転制御手段が、停止用時間条件が満たされると運転を停止する自動停止タイマー運転、開始用時間条件が満たされると運転を開始する自動開始タイマー運転の少なくとも一方を実行可能に構成されたハイブリッド式温風暖房機であって、自動停止タイマー運転及び自動開始タイマー運転の夫々が、許容連続燃焼運転時間よりも長い時間にわたって実行可能に構成され、運転制御手段が、自動停止タイマー運転及び自動開始タイマー運転の夫々を、運転開始後、許容連続燃焼運転時間が経過するまでは、燃焼式暖房部Ｈｆを作動し、許容連続燃焼運転時間が経過すると、燃焼式暖房部Ｈｆの作動を停止すると共に電気式暖房部Ｈｅを作動させるハイブリッドモードで実行可能に構成されている。【選択図】図２
2017142023.tif 000002
【特許請求の範囲】
【請求項１】
燃料を燃焼させるバーナと、暖房対象空間の空気を取り入れ、その取り入れ空気と前記バーナの燃焼ガスとを混合して暖房対象空間に吹き出すように通風作用する燃焼式暖房用送風機とを備えた燃焼式暖房部と、
暖房対象空間の空気を取り入れ、その取り入れ空気を暖房対象空間に吹き出すように通風作用する電気式暖房用送風機と、その電気式暖房用送風機により通風される空気を加熱する電気ヒータとを備えた電気式暖房部と、
運転を制御する運転制御手段とを備え、
前記運転制御手段が、停止用時間条件が満たされると運転を停止する自動停止タイマー運転、開始用時間条件が満たされると運転を開始する自動開始タイマー運転の少なくとも一方を実行可能に構成され、並びに、前記自動停止タイマー運転及び前記自動開始タイマー運転において、前記バーナを連続して燃焼させる時間が所定の許容連続燃焼運転時間に達すると、前記バーナの燃焼を停止するように構成されたハイブリッド式温風暖房機であって、
前記自動停止タイマー運転及び前記自動開始タイマー運転の夫々が、前記許容連続燃焼運転時間よりも長い時間にわたって実行可能に構成され、
前記運転制御手段が、前記自動停止タイマー運転及び前記自動開始タイマー運転の夫々を、運転開始後、前記許容連続燃焼運転時間が経過するまでは、前記燃焼式暖房部を作動し、前記許容連続燃焼運転時間が経過すると、前記燃焼式暖房部の作動を停止すると共に前記電気式暖房部を作動させるハイブリッドモードで実行可能に構成されているハイブリッド式温風暖房機。
【請求項２】
前記自動停止タイマー運転を実行させる目標運転時間を前記許容連続燃焼運転時間より長い時間にも設定可能な停止タイマー設定手段が設けられ、
前記運転制御手段が、前記自動停止タイマー運転を継続して実行する時間が前記停止タイマー設定手段にて設定された目標運転時間に達すると、前記停止用時間条件が満たされたと判断するように構成されている請求項１に記載のハイブリッド式温風暖房機。
【請求項３】
前記自動開始タイマー運転を開始させるまでの時間間隔を任意に設定可能な開始タイマー設定手段、及び、前記運転制御手段に前記自動開始タイマー運転の停止を手動操作で指令するタイマー運転停止指令手段が設けられ、
前記運転制御手段が、前記開始タイマー設定手段にて設定された時間間隔が経過すると前記開始用時間条件が満たされたと判断し、並びに、前記タイマー運転停止指令手段からの指令に基づいて前記自動開始タイマー運転を停止するように構成されている請求項１又は２に記載のハイブリッド式温風暖房機。
【請求項４】
前記運転制御手段が、前記自動停止タイマー運転及び前記自動開始タイマー運転の夫々を、前記ハイブリッドモードか、前記電気式暖房部を単独で作動させる電気単独モードで択一的に実行可能に構成され、
前記自動停止タイマー運転及び前記自動開始タイマー運転の夫々を、前記ハイブリッドモードか前記電気単独モードのいずれで実行するかを前記運転制御手段に指令するタイマー運転モード指令手段が設けられている請求項１〜３のいずれか１項に記載のハイブリッド式温風暖房機。
【請求項５】
前記運転制御手段が、前記電気式暖房部を、室温を検出する室温検出手段の検出温度が目標温度になるように前記電気ヒータの出力を調整する温度調整モードか、前記電気ヒータをヒータ出力設定手段により設定されたヒータ出力で作動させる定出力モードで択一的に運転可能に構成され、
前記ヒータ出力設定手段が、前記ヒータ出力を複数段階に設定可能に構成され、
前記電気式暖房部を前記温度調整モードか前記定出力モードのいずれで運転するかを前記運転制御手段に指令する電気式暖房運転モード指令手段が設けられている請求項１〜４のいずれか１項に記載のハイブリッド式温風暖房機。
【請求項６】
前記電気ヒータが、前記燃焼式暖房用送風機の通風作用によって通風される通風領域に配置されて、
前記燃焼式暖房用送風機と前記電気式暖房用送風機とに共用される共用送風機が設けられている請求項１〜５のいずれか１項に記載のハイブリッド式温風暖房機。
【発明の詳細な説明】
【技術分野】
【０００１】
本発明は、燃料を燃焼させるバーナと、暖房対象空間の空気を取り入れ、その取り入れ空気とバーナの燃焼ガスとを混合して暖房対象空間に吹き出すように通風作用する燃焼式暖房用送風機とを備えた燃焼式暖房部と、暖房対象空間の空気を取り入れ、その取り入れ空気を暖房対象空間に吹き出すように通風作用する電気式暖房用送風機と、その電気式暖房用送風機により通風される空気を加熱する電気ヒータとを備えた電気式暖房部と、運転を制御する運転制御手段とを備え、運転制御手段が、停止用時間条件が満たされると運転を停止する自動停止タイマー運転、開始用時間条件が満たされると運転を開始する自動開始タイマー運転の少なくとも一方を実行可能に構成され、並びに、自動停止タイマー運転及び自動開始タイマー運転において、バーナを連続して燃焼させる時間が所定の許容連続燃焼運転時間に達すると、バーナの燃焼を停止するように構成されたハイブリッド式温風暖房機に関する。
【背景技術】
【０００２】
かかるハイブリッド式温風暖房機は、燃焼式暖房部を作動させることによって、バーナを熱源として生成された温風が暖房対象空間に吹き出されて、暖房対象空間が暖房され、電気式暖房部を作動させることにより、電気ヒータを熱源として生成された温風が暖房対象空間に吹き出されて、暖房対象空間が暖房されるものである（例えば、特許文献１参照。）。
【０００３】
上記特許文献１には記載されていないが、通常、このようなハイブリッド式温風暖房機では、使い勝手を良くするため、停止用時間条件が満たされると運転を停止する自動停止タイマー運転、開始用時間条件が満たされると運転を開始する自動開始タイマー運転の少なくとも一方が実行可能に構成されている。
自動停止タイマー運転は、所謂「おやすみタイマー運転」と称されるものであり、例えば、使用者が就寝する際に、自動停止タイマー運転の開始を指令することにより、使用者が眠っている間に停止用時間条件が満たされて、自動停止タイマー運転が自動的に停止される形態で実行させることができる。
自動開始タイマー運転は、所謂「おはようタイマー運転」と称されるものであり、例えば、使用者が就寝する際に、起床の少し前に開始用時間条件が満たされるような時間条件で開始用時間条件を設定することにより、起床の少し前に開始用時間条件が満たされて、自動開始タイマー運転が自動的に開始される形態で実行させることができる。
【０００４】
ところで、燃焼式暖房部を作動させると、バーナは暖房対象空間の空気を燃焼用空気として燃焼することから、空気中の一酸化炭素濃度が増大すると共に酸素濃度が低下するので、安全性を担保するために、ハイブリッド式温風暖房機の使用者には、燃焼式暖房部を作動させる際は、所定の換気推奨時間（例えば６０分）毎に暖房対象空間の換気をする旨の注意喚起がなされる。
【０００５】
一方、自動停止タイマー運転や自動開始タイマー運転は、通常は、使用者が睡眠中に運転されることが多いので、自動停止タイマー運転や自動開始タイマー運転の実行中に、使用者によって暖房対象空間の換気が行われることが保証されるものではない。
そこで、安全性を担保するために、暖房対象空間を換気することなく安全に燃焼式暖房部を連続して運転可能な上限時間（例えば６０分）が、許容連続燃焼運転時間として設定されて、上記特許文献１には記載されていないが、従来は、自動停止タイマー運転や自動開始タイマー運転を許容連続燃焼運転時間よりも長い時間にわたって連続して実行できないように構成されていた。
【０００６】
例えば、自動停止タイマー運転の停止用時間条件として、自動停止タイマー運転を実行させる目標運転時間を設定するように構成されている場合は、目標運転時間を許容連続燃焼運転時間よりも長い時間には設定できない構成になっていて、自動停止タイマー運転を許容連続燃焼運転時間よりも長い時間にわたって連続して実行できないように構成されていた。
又、例えば、自動開始タイマー運転の停止指令を使用者が行うように構成されている場合、運転開始後、許容連続燃焼運転時間に達しても、使用者が睡眠中等の理由で停止指令がなされないと、自動開始タイマー運転が自動的に停止されるように構成されて、自動開始タイマー運転を許容連続燃焼運転時間よりも長い時間にわたって連続して実行できないように構成されていた。
【先行技術文献】
【特許文献】
【０００７】
【特許文献１】特許第５６４８３９３号公報
【発明の概要】
【発明が解決しようとする課題】
【０００８】
しかしながら、従来のハイブリッド式温風暖房機では、自動停止タイマー運転や自動開始タイマー運転を許容連続燃焼運転時間よりも長い時間にわたって連続して実行できないことから、使い勝手が悪く、改善が望まれていた。
例えば、使用者が眠りにつくのが遅くなった場合、眠りにつく前に自動停止タイマー運転が終わってしまい、使用者に不便さを感じさせる場合がある。
又、使用者が起床を予定よりも遅らせようとする場合に、起床の前に自動開始タイマー運転が終わってしまい、使用者に不便さを感じさせる場合がある。
【０００９】
本発明は、かかる実情に鑑みてなされたものであり、その目的は、安全性を担保しながら、使い勝手を向上し得るハイブリッド式温風暖房機を提供することにある。
【課題を解決するための手段】
【００１０】
上記目的を達成するための本発明に係るハイブリッド式温風暖房機は、燃料を燃焼させるバーナと、暖房対象空間の空気を取り入れ、その取り入れ空気と前記バーナの燃焼ガスとを混合して暖房対象空間に吹き出すように通風作用する燃焼式暖房用送風機とを備えた燃焼式暖房部と、
暖房対象空間の空気を取り入れ、その取り入れ空気を暖房対象空間に吹き出すように通風作用する電気式暖房用送風機と、その電気式暖房用送風機により通風される空気を加熱する電気ヒータとを備えた電気式暖房部と、
運転を制御する運転制御手段とを備え、
前記運転制御手段が、停止用時間条件が満たされると運転を停止する自動停止タイマー運転、開始用時間条件が満たされると運転を開始する自動開始タイマー運転の少なくとも一方を実行可能に構成され、並びに、前記自動停止タイマー運転及び前記自動開始タイマー運転において、前記バーナを連続して燃焼させる時間が所定の許容連続燃焼運転時間に達すると、前記バーナの燃焼を停止するように構成されたハイブリッド式温風暖房機であって、その特徴構成は、
前記自動停止タイマー運転及び前記自動開始タイマー運転の夫々が、前記許容連続燃焼運転時間よりも長い時間にわたって実行可能に構成され、
前記運転制御手段が、前記自動停止タイマー運転及び前記自動開始タイマー運転の夫々を、運転開始後、前記許容連続燃焼運転時間が経過するまでは、前記燃焼式暖房部を作動し、前記許容連続燃焼運転時間が経過すると、前記燃焼式暖房部の作動を停止すると共に前記電気式暖房部を作動させるハイブリッドモードで実行可能に構成されている点にある。
【００１１】
上記特徴構成によれば、自動停止タイマー運転や自動開始タイマー運転を、許容連続燃焼運転時間よりも長い時間にわたって実行させることができる。
例えば、自動停止タイマー運転を実行させる場合は、使用者が眠りにつくのが遅くなった場合でも、眠りにつくまでは運転が継続されているように、自動停止タイマー運転を実行させることが可能となる。
又、自動開始タイマー運転を実行させる場合は、使用者が起床を予定よりも遅らせたいときでも、起床時以降も運転が継続されているように、自動開始タイマー運転を実行させることが可能となる。
【００１２】
そして、自動停止タイマー運転や自動開始タイマー運転を許容連続燃焼運転時間よりも長い時間にわたって実行させるにしても、運転開始後、許容連続燃焼運転時間が経過するまでは、燃焼式暖房部が作動することによりバーナが燃焼するが、許容連続燃焼運転時間が経過すると、燃焼式暖房部の作動が停止してバーナが消火すると共に、電気式暖房部が作動することになる。電気式暖房部が作動しているときは、バーナが消火していて、暖房対象空間の空気が汚染されることがないことから、暖房対象空間の換気推奨時間毎の換気は必要ではないので、自動停止タイマー運転や自動開始タイマー運転を許容連続燃焼運転時間よりも長い時間にわたって実行させても、安全性が損なわれることがない。
従って、安全性を担保しながら、使い勝手を向上し得るハイブリッド式温風暖房機を提供することができる。
【００１３】
本発明に係るハイブリッド式温風暖房機の更なる特徴構成は、前記自動停止タイマー運転を実行させる目標運転時間を前記許容連続燃焼運転時間より長い時間にも設定可能な停止タイマー設定手段が設けられ、
前記運転制御手段が、前記自動停止タイマー運転を継続して実行する時間が前記停止タイマー設定手段にて設定された目標運転時間に達すると、前記停止用時間条件が満たされたと判断するように構成されている点にある。
【００１４】
上記特徴構成によれば、使用者は、停止タイマー設定手段によって、自動停止タイマー運転を継続して実行させたい時間を、許容連続燃焼運転時間より長い時間にも任意に設定することができる。
そして、自動停止タイマー運転を継続して実行する時間が停止タイマー設定手段にて設定された目標運転時間に達すると、停止用時間条件が満たされたと判断されて、自動停止タイマー運転が自動的に停止されることになり、自動停止タイマー運転を許容連続燃焼運転時間より長い時間にわたって実行させることができる。
従って、使用者は、停止タイマー設定手段によって自動停止タイマー運転を実行させたい時間を任意に設定することによって、自動停止タイマー運転を許容連続燃焼運転時間より長い時間にわたっても実行させることができるので、使い勝手を一層向上することができる。
【００１５】
本発明に係るハイブリッド式温風暖房機の更なる特徴構成は、前記自動開始タイマー運転を開始させるまでの時間間隔を任意に設定可能な開始タイマー設定手段、及び、前記運転制御手段に前記自動開始タイマー運転の停止を手動操作で指令するタイマー運転停止指令手段が設けられ、
前記運転制御手段が、前記開始タイマー設定手段にて設定された時間間隔が経過すると前記開始用時間条件が満たされたと判断し、並びに、前記タイマー運転停止指令手段からの指令に基づいて前記自動開始タイマー運転を停止するように構成されている点にある。
【００１６】
上記特徴構成によれば、使用者は、開始タイマー設定手段によって、自動開始タイマー運転を開始させるまでの時間間隔を任意に設定する。
すると、開始タイマー設定手段にて設定された時間間隔が経過すると、開始用時間条件が満たされたと判断されて、自動開始タイマー運転が自動的に開始される。
そして、使用者が、自動開始タイマー運転を停止させたいときに、タイマー運転停止指令手段によって停止を指令すると、自動開始タイマー運転が停止されることになるので、自動開始タイマー運転を許容連続燃焼運転時間より長い時間にわたっても実行させることができる。
つまり、使用者の望みの時点で自動開始タイマー運転を自動的に開始させることができ、その開始後は、使用者が運転を停止したくなってタイマー運転停止指令手段を操作するまで、許容連続燃焼運転時間より長い時間でも自動開始タイマー運転を実行させることができるので、使い勝手を一層向上することができる。
【００１７】
本発明に係るハイブリッド式温風暖房機の更なる特徴構成は、前記運転制御手段が、前記自動停止タイマー運転及び前記自動開始タイマー運転の夫々を、前記ハイブリッドモードか、前記電気式暖房部を単独で作動させる電気単独モードで択一的に実行可能に構成され、
前記自動停止タイマー運転及び前記自動開始タイマー運転の夫々を、前記ハイブリッドモードか前記電気単独モードのいずれで実行するかを前記運転制御手段に指令するタイマー運転モード指令手段が設けられている点にある。
【００１８】
上記特徴構成によれば、使用者が、タイマー運転モード指令手段によって、ハイブリッドモードを指令すると、ハイブリッドモードで自動停止タイマー運転や自動開始タイマー運転が実行され、一方、電気単独モードを指令すると、電気式暖房部が単独で作動する電気単独モードで自動停止タイマー運転や自動開始タイマー運転が実行される。
つまり、使用者には、就寝中に、バーナが燃焼していたり、バーナの燃料がガス燃料である場合にガス栓が開いていることに、不安を感じる人がいる。
そこで、自動停止タイマー運転や自動開始タイマー運転を、ハイブリッドモードか電気単独モードのいずれで実行させるかを自由に選択可能に構成しておくことにより、就寝中にバーナを燃焼させたり、ガス栓を開けたままにしておくことに不安を感じる人も、安心して自動停止タイマー運転や自動開始タイマー運転を実行させることができる。
従って、使い勝手を一層向上することができる。
【００１９】
本発明に係るハイブリッド式温風暖房機の更なる特徴構成は、前記運転制御手段が、前記電気式暖房部を、室温を検出する室温検出手段の検出温度が目標温度になるように前記電気ヒータの出力を調整する温度調整モードか、前記電気ヒータをヒータ出力設定手段により設定されたヒータ出力で作動させる定出力モードで択一的に運転可能に構成され、
前記ヒータ出力設定手段が、前記ヒータ出力を複数段階に設定可能に構成され、
前記電気式暖房部を前記温度調整モードか前記定出力モードのいずれで運転するかを前記運転制御手段に指令する電気式暖房運転モード指令手段が設けられている点にある。
【００２０】
上記特徴構成によれば、電気式暖房運転モード指令手段によって、電気式暖房部を温度調整モードで運転することを指令すると、室温検出手段の検出温度が目標温度になるように電気ヒータの出力が調整され、電気式暖房部を出力モードで運転することを指令すると、電気ヒータの出力がヒータ出力設定手段により設定されたヒータ出力に一定に調整される。
つまり、電気式暖房部により暖房対象空間を暖房させるときは、使用者の好みの暖房形態で暖房することが可能となるので、使い勝手を一層向上することができる。
【００２１】
本発明に係るハイブリッド式温風暖房機の更なる特徴構成は、前記電気ヒータが、前記燃焼式暖房用送風機の通風作用によって通風される通風領域に配置されて、
前記燃焼式暖房用送風機と前記電気式暖房用送風機とに共用される共用送風機が設けられている点にある。
【００２２】
上記特徴構成によれば、電気ヒータが燃焼式暖房用送風機の通風作用によって通風される通風領域に配置されることにより、燃焼式暖房用送風機と電気式暖房用送風機とに共用される共用送風機を１台設けるだけで、その共用送風機の通風作用により、バーナを燃焼させると、バーナを熱源として生成された温風を暖房対象空間に吹き出すことができ、電気ヒータを作動させると、電気ヒータを熱源として生成された温風を暖房対象空間に吹き出すことができる。
又、暖房対象空間から取り入れた空気をバーナの燃焼ガスと混合して暖房対象空間に吹き出すように導く通風構成を、暖房対象空間から取り入れた空気を電気ヒータにて加熱して暖房対象空間に吹き出すように導く通風構成に共用することができるので、通風構成の簡略化も図ることができる。
従って、安全性を担保しながら、使い勝手を向上し得るハイブリッド式温風暖房機の低価格化を図ることができる。
【図面の簡単な説明】
【００２３】
【図１】実施形態に係るハイブリッド式温風暖房機の外観を示す斜視図
【図２】実施形態に係るハイブリッド式温風暖房機の縦断右側面図
【図３】実施形態に係るハイブリッド式温風暖房機の縦断正面図
【図４】第１実施形態に係る操作部を示す図
【図５】第１実施形態に係る制御構成のブロック図
【図６】第１実施形態に係るおやすみタイマー運転のフローチャートを示す図
【図７】第１実施形態に係るおはようタイマー運転のフローチャートを示す図
【図８】第２実施形態に係る操作部を示す図
【図９】第２実施形態に係る制御構成のブロック図
【図１０】第２実施形態に係るおやすみタイマー運転のフローチャートを示す図
【図１１】第２実施形態に係るおはようタイマー運転のフローチャートを示す図
【発明を実施するための形態】
【００２４】
以下、図面に基づいて、本発明の実施形態を説明する。
〔第１実施形態〕
先ず、第１実施形態を説明する。
図２及び図３に示すように、ハイブリッド式温風暖房機は、ガス燃料を燃焼させるガスバーナ１（バーナの一例）と、暖房対象空間の空気を取り入れ、その取り入れ空気とガスバーナ１の燃焼ガスとを混合して暖房対象空間に吹き出すように通風作用する燃焼式暖房用送風機２とを備えた燃焼式暖房部Ｈｆ、暖房対象空間の空気を取り入れ、その取り入れ空気を暖房対象空間に吹き出すように通風作用する電気式暖房用送風機３と、その電気式暖房用送風機３により通風される空気を加熱するシーズヒータ４（電気ヒータの一例）とを備えた電気式暖房部Ｈｅ、運転を制御する運転制御部５（運転制御手段の一例）、及び、その運転制御部５に各種制御情報を送信する操作部６（図１及び図４参照）等を備えて構成されている。
【００２５】
この実施形態では、シーズヒータ４が、燃焼式暖房用送風機２の通風作用によって通風される通風領域に配置されて、燃焼式暖房用送風機２と電気式暖房用送風機３とに共用される共用送風機７が設けられている
【００２６】
以下、ハイブリッド式温風暖房機の各部について、説明を加える。
尚、以下の説明において、左右、前後、上下の方向を用いて各部材の形状、各部材の配置関係等を説明するに当たっては、左右、前後及び上下の各方向は、図１〜図３の各図中で各部材に対応する方向として説明する。
図１〜図３に示すように、吸気口８及び温風吹出口９が設けられた本体ケース１０内に、上流側が吸気口８に連通し、且つ、下流側が温風吹出口９に連通する温風通風路１１が設けられ、その温風通風路１１内に、ガスバーナ１を備えた燃焼ユニットＵが燃焼ガスを温風通風路１１に対して吹き出し可能に配設されている。
本体ケース１０は、前後方向の寸法が左右方向の寸法よりも小さい薄型形状に構成され、温風吹出口９は、その本体ケース１０の前面下部に設けられ、吸気口８は、その本体ケース１０の後面における高さ方向において温風吹出口９の上縁部よりも上方の位置に設けられている。
吸気口８には、塵埃を捕捉するためのエアフィルタ２４が設けられている。
【００２７】
燃焼ユニットＵは、ガスバーナ１と、そのガスバーナ１の炎孔１ｈから噴出されるガス燃料を燃焼させる燃焼室１２とを備えて構成される。
【００２８】
ガスバーナ１は、ブンゼン燃焼式であり、燃料供給路１５を通じて供給されるガス燃料を噴出するガスノズル１ｎ、そのガスノズル１ｎからガス燃料が噴出されると共に、そのガス燃料の噴出に伴う吸引作用により一次燃焼用空気が供給される混合管１ｐ、及び、混合管１ｐから供給される混合気を噴出する複数の炎孔１ｈを列状に備えたバーナ本体１ｍ等を備えて構成されている。
バーナ本体１ｍは、左右方向に長い細長状に構成されて、その内部空間に混合管１ｐから混合気が供給されるように、混合管１ｐの上方に連通状態で接続され、このバーナ本体１ｍの上面部に、左右方向に沿って、複数の炎孔１ｈが列状に形成されている。
【００２９】
この実施形態では、燃焼室１２として、下方に下段用空気取入口１３Ａを備え且つ上方に下段用燃焼ガス吹出口１４Ａを備えた下段燃焼室１２Ａと、下方に上段用空気取入口１３Ｂを備え且つ上方に上段用燃焼ガス吹出口１４Ｂを備えた上段燃焼室１２Ｂとが、下段用燃焼ガス吹出口１４Ａを上段燃焼室１２Ｂ内に臨ませた状態で、上下方向に並べて設けられている。
そして、下段燃焼室１２Ａにおいて、ガスバーナ１の炎孔１ｈから噴出されるガス燃料を下段用空気取入口１３Ａから導入される二次燃焼用空気により一次燃焼させ、上段燃焼室１２Ｂにおいて、下段用燃焼ガス吹出口１４Ａから燃焼ガスと共に導入される未燃の燃料ガスを上段用空気取入口１３Ｂから導入される二次燃焼用空気にて二次燃焼させるように構成されて、ガスバーナ１が２段階燃焼型に構成されている。
【００３０】
上段燃焼室１２Ｂを内部に形成する上段燃焼室形成体１６は、前後方向の寸法が左右方向の寸法よりも小さい薄型で、横断面形状が左右方向に長い矩形状となる箱状に構成され、後面の下部に、左右方向に長い細長状で後方向きの連通用開口部１７が設けられ、上面部に、左右方向に長い細長状の上段用燃焼ガス吹出口１４Ｂが設けられている。
この上段燃焼室形成体１６の底部は、左右方向視での縦断面形状で、概略Ｖ字状の樋状になるように構成されている。
【００３１】
下段燃焼室１２Ａを内部に形成する下段燃焼室形成体１８は、左右方向の寸法が上段燃焼室形成体１６と同等で、前後方向の寸法及び高さが上段燃焼室形成体１６よりも小さい細長の直方体形の箱状に構成され、その下段燃焼室形成体１８の下面部に、ガスバーナ１のバーナ本体１ｍを挿入させる細長状（左右方向に長い）のバーナ挿通孔１９と、そのバーナ挿通孔１９の前後夫々に位置させた細長状（左右方向に長い）の下段用空気取入口１３Ａとが備えられ、上面部に、細長状（左右方向に長い）の下段用燃焼ガス吹出口１４Ａが備えられている。
そして、炎孔１ｈの並び方向を左右方向に沿わせた姿勢で、バーナ本体１ｍをバーナ挿通孔１９に挿入させた状態で、ガスバーナ１を下段燃焼室形成体１８に支持させる。
【００３２】
上段燃焼室形成体１６の内部において、連通用開口部１７のやや上方で、且つ、前後方向の略中央に位置させて、ガスバーナ１を支持した下段燃焼室形成体１８が、その長手方向を上段燃焼室形成体１６の長手方向に沿わせた姿勢で配設されている。
そして、上段燃焼室形成体１６の内部における下段燃焼室形成体１８の前方、上方及び後方にわたる領域が、上段燃焼室１２Ｂとされ、上段燃焼室形成体１６の前壁部の内面と下段燃焼室形成体１８の前壁部の下端縁にて形成される細長状（左右方向に長い）の開口部、及び、上段燃焼室形成体１６の後壁部の内面と下段燃焼室形成体１８の後壁部の下端縁にて形成される細長状（左右方向に長い）の開口部夫々が、上段用空気取入口１３Ｂとして用いられる。
【００３３】
上述のように構成された燃焼ユニットＵが、その連通用開口部１７を吸気口８における上下方向の下寄りの中間箇所に臨ませた状態で、本体ケース１０の内部に配設されている。
【００３４】
本体ケース１０内に、温風通風路１１を形成する通風路形成体２０が、吸気口８の上縁部から燃焼ユニットＵの上方を覆う状態で前方に延びて下向きに屈曲し、更に、燃焼ユニットＵの前方を覆う状態で下方に延びて、温風吹出口９の上縁部に連なる形態で設けられている。
そして、通風路形成体２０により、温風通風路１１が、燃焼ユニットＵの上方を前方に延びて下方に屈曲し、更に、燃焼ユニットＵの前方を下方に延びる形態に区画形成される。
【００３５】
更に、左右方向視での縦断面形状が山形状の分流板２１が、燃焼ユニットＵと通風路形成体２０との間の温風通風路１１を上下方向に２分するように、それらの間に位置させた状態で、本体ケース１０内に設けられている。
【００３６】
共用送風機７は、回転軸芯に直交する方向に吸い込み並びに送風作用する羽根体７ｆと、その羽根体７ｆを回転軸芯で回転駆動するファン駆動用モータ７ｍとを備えたクロスフローファンにて構成されている。
本体ケース１０内に、送風機７の羽根体７ｆを収容するファンケース２２が、吸気口８の下端縁と温風吹出口９の下端縁とにわたって設けられている。
ファンケース２２は、左右方向視での縦断面形状が概略半円状となる細長状の樋状であり、その後方側に、径方向外方に延びる板状縁部２２ｅが備えられている。
【００３７】
このようなファンケース２２が、長手方向を左右方向に沿わせた姿勢で、その開口部を斜め上前向きに向けて、通風路形成体２０の下端部と上段燃焼室形成体１６の下端部とにより形成される斜め下後ろ向きの開口部に対向させた姿勢で、後端縁（板状縁部２２ｅの端縁）を吸気口８の下端縁に接続し、且つ、前端縁を温風吹出口９の下端縁の接続した状態で、本体ケース９内に設けられている。
そして、上段燃焼室形成体１６の樋状底部における後方側の後倒れ状の板状部分と、ファンケース２２の後方の板状縁部２２ｅとにより、吸気口８を、下段燃焼室１２Ａ及び上段燃焼室１２Ｂを迂回して温風通風路１１に連通させるバイパス風路２３が構成される。
【００３８】
共用送風機７の羽根体７ｆが、回転軸芯を左右方向に沿わせてファンケース２２内に位置させた状態で、回転自在に支持されている。
そして、ファン駆動用モータ７ｍにより羽根体７ｆを回転駆動することにより、共用送風機７の吸引作用が、温風通風路１１の下流側に対して作用すると共に、バイパス風路２３に作用するように構成されている。
【００３９】
シーズヒータ４は、２本の直線状部４ｐを平行状態に備えた形態のＵ字状に屈曲され、そのＵ字状のシーズヒータ４が、各直線状部４ｐの長手方向を左右方向に沿わせた姿勢で、上段燃焼室１２Ｂ内における上段燃焼室形成体１６の後壁部と下段燃焼室形成体１８の後壁部との間の空気の通流域に配置されている。
【００４０】
次に、図２に基づいて、２段階燃焼型のガスバーナ１の燃焼形態、及び、そのガスバーナ１による温風の生成形態について、説明する。尚、図１において、空気、燃焼ガス、及び、空気と燃焼ガスとが混合された温風等の流体の流れを矢印にて示す。
共用送風機７を作動させることにより、温風通風路１１を通して、吸気口８及び上段用燃焼ガス吹出口１４Ｂに吸引作用し、上段用燃焼ガス吹出口１４Ｂ、上段燃焼室１２Ｂ、上段用空気取入口１３Ｂ及び連通用開口部１７を介して吸気口８に吸引作用すると共に、上段用燃焼ガス吹出口１４Ｂ、上段燃焼室１２Ｂ、下段用燃焼ガス吹出口１４Ａ、下段燃焼室１２Ａ、下段用空気取入口１３Ａ及び連通用開口部１７を介して吸気口８に吸引作用し、並びに、バイパス風路２３を通して吸気口８に吸引作用する。
すると、吸気口８から取り入れられた空気は、直接、温風通風路１１の上流端に導入され、並びに、連通用開口部１７を介して、下段用空気取入口１３Ａから下段燃焼室１２Ａ内に二次燃焼用空気として導入されると共に、上段用空気取入口１３Ｂから上段燃焼室１２Ｂ内に二次燃焼用空気として導入され、更には、バイパス風路２３を通って、下段燃焼室１２Ａ及び上段燃焼室１２Ｂを迂回して温風通風路１１に導入される。
【００４１】
ガスバーナ１の複数の炎孔１ｈから噴出された混合気は、下段燃焼室１２内において、下段用空気取入口１３Ａから導入された二次燃焼用空気により一次燃焼して、一次火炎Ｆａが形成され、更に、その一次燃焼による燃焼ガス及び一次燃焼での未燃のガス燃料が、下段用燃焼ガス吹出口１４Ａから上段燃焼室１２Ｂ内に吹き出され、上段燃焼室１２Ｂ内において、未燃のガス燃料が上段用空気取入口１３Ｂから導入された二次燃焼用空気により二次燃焼して、二次火炎Ｆｂが形成される。
そして、一次燃焼による燃焼ガス及び二次燃焼による燃焼ガスが上段用燃焼ガス吹出口１４Ｂから温風通風路１１に吹き出されて、吸気口８から直接温風通風路１１の上流端に導入された空気と混合されて温風が生成され、その温風が温風通風路１１を通風し、途中でバイパス風路２３を通して吸気口８から直接取り入れられた空気が混合されながら、温風吹出口９から本体ケース１０外に吹き出される。
【００４２】
又、シーズヒータ４を作動させることにより、上段燃焼室１２Ｂ内を通流する空気が加熱されることになる。
つまり、上段燃焼室１２Ｂ内は、燃焼式暖房用送風機２としての共用送風機７の通風作用によって通風される通風領域であり、シーズヒータ４がこのような通風領域に配置されることになる。
【００４３】
次に、図２に基づいて、シーズヒータ４による温風の生成形態について、説明する。
共用送風機７を作動させることにより、先に、ガスバーナ１による温風の生成形態について説明したのと同様に、温風通風路１１を通して、吸気口８及び上段用燃焼ガス吹出口１４Ｂに吸引作用し、上段用燃焼ガス吹出口１４Ｂ、上段燃焼室１２Ｂ、上段用空気取入口１３Ｂ及び連通用開口１７を介して吸気口８に吸引作用すると共に、上段用燃焼ガス吹出口１４Ｂ、上段燃焼室１２Ｂ、下段用燃焼ガス吹出口１４Ａ、下段燃焼室１２Ａ、下段用空気取入口１３Ａ及び連通用開口１７を介して吸気口８に吸引作用し、並びに、バイパス風路２３を通して吸気口８に吸引作用する。
すると、吸気口８から取り入れられた空気は、連通用開口部１７を介して、上段用空気取入口１３Ｂから上段燃焼室１２Ｂ内に導入されて、シーズヒータ４により加熱されたのち、下段用燃焼ガス吹出口１４Ａから吹き出される空気と混合されて、上段用燃焼ガス吹出口１４Ｂから温風通風路１１に吹き出され、吸気口８から直接温風通風路１１の上流端に導入された空気と混合されて温風が生成され、その温風が温風通風路１１を通風し、途中でバイパス風路２３を通して吸気口８から直接取り入れられた空気が混合されながら、温風吹出口９から本体ケース１外に吹き出される。
【００４４】
図２に示すように、本体ケース１０内には、吸込口８から吸い込まれる空気の温度を室内温度として検出する室温センサ２５（室温検出手段の一例）が設けられている。
又、ハイブリッド式温風暖房機の過熱防止用として、通風路形成体２０の外面に、温風通風路１１内の温度を検出可能に通風路温度センサ２６が設けられ、並びに、通風路形成体２０からの伝熱により加熱可能に温度ヒューズ２７が設けられている。
図３に示すように、ガスバーナ１にて形成される火炎（一次火炎Ｆａ）を検出する火炎センサ２８が設けられている。
【００４５】
更に、図３に示すように、燃料供給路１５には、ガスバーナ１へのガス燃料の供給を断続する燃料断続弁２９、及び、ガスバーナ１へのガス燃料の供給量を調整する燃料調整弁３０が設けられている。ちなみに、燃料断続弁２９は電磁弁にて構成され、燃料調整弁３０は比例電磁弁にて構成される。
更に、ガスバーナ１のバーナ本体１ｍの上方近傍に位置させて、ガスバーナ１に点火する点火器３１が設けられている。
【００４６】
図１に示すように、操作部６は、本体ケース１０の上面に設けられ、図４に示すように、その操作部６には、ハイブリッド式温風暖房機の運転の開始及び停止を指令するメイン運転スイッチ４１、停止用時間条件が満たされると運転を停止するおやすみタイマー運転（自動停止タイマー運転の一例）を設定するおやすみタイマースイッチ４２、開始用時間条件が満たされると運転を開始するおはようタイマー運転（自動開始タイマー運転の一例）を設定するおはようタイマースイッチ４３、電気式暖房部Ｈｅによるハイブリッド式温風暖房機の運転（以下、電気式暖房運転と記載する場合がある）の開始及び停止を指令する電気ヒータ運転スイッチ４４、シーズヒータ４の出力であるヒータ出力を複数段階（この実施形態では、強、弱の２段階）に設定可能なヒータ出力切換スイッチ（ヒータ出力設定手段Ｍ４の一例）４５、暖房目標温度、おやすみタイマー運転を実行させるおやすみタイマー時間（目標運転時間の一例）、及び、おはようタイマー運転を開始させるまでの時間間隔等を設定する温度／時間設定スイッチ４６等が設けられている。
【００４７】
更に、操作部６には、ハイブリッド式温風暖房機の運転中に点灯される運転ランプ５１、おやすみタイマー運転の設定中に点灯されるおやすみタイマーランプ５２、おはようタイマー運転の設定中に点灯されるおはようタイマーランプ５３、電気式暖房運転の実行中に点灯されるヒータ運転ランプ５４、ヒータ出力切換スイッ４５にて設定されたヒータ出力を表示するヒータ出力ランプ５５、及び、温度／時間設定スイッチ４６にて設定された温度や時間を表示する温度／時間表示部５６等が設けられている。
【００４８】
次に、運転制御部５の制御動作について、説明する。
図５に示すように、運転制御部５には、メイン運転スイッチ４１、おやすみタイマースイッチ４２、おはようタイマースイッチ４３、電気ヒータ運転スイッチ４４、ヒータ出力切換スイッチ４５及び温度／時間設定スイッチ４６等の各種スイッチからの指令情報、並びに、室温センサ２５、通風路温度センサ２６及び火炎センサ２８等の各種センサの検出情報が入力される。
又、運転制御部５は、入力される各種スイッチからの指令情報及び各種センサの検出情報に基づいて、シーズヒータ４、点火器３１、ファン駆動用モータ７ｍ、燃料断続弁２９及び燃料調整弁３０等の各種機器、運転ランプ５１、おやすみタイマーランプ５２、おはようタイマーランプ５３、ヒータ運転ランプ５４及びヒータ出力ランプ５５等の各種ランプ、並びに、温度／時間表示部５６等の作動を制御することにより、ハイブリッド式温風暖房機の運転を制御するように構成されている。
【００４９】
具体的には、運転制御部５は、燃焼式暖房部Ｈｆを作動させることによるガス燃焼式暖房運転、電気式暖房部Ｈｅを作動させることによる電気式暖房運転、停止用時間条件が満たされると運転を停止するおやすみタイマー運転、及び、開始用時間条件が満たされると運転を開始するおはようタイマー運転の各種運転を択一的に実行可能に構成されている。
又、運転制御部５は、おやすみタイマー運転及びおはようタイマー運転夫々において、ガスバーナ１を連続して燃焼させる時間が所定の許容連続燃焼運転時間に達すると、ガスバーナ１の燃焼を停止するように構成されている。ちなみに、許容連続燃焼運転時間は、暖房対象空間を換気することなく安全に燃焼式暖房部Ｈｆを連続して運転可能な上限時間に設定され、この実施形態では、例えば６０分に設定される。
【００５０】
本発明では、おやすみタイマー運転及びおはようタイマー運転の夫々が、許容連続燃焼運転時間よりも長い時間にわたって実行可能に構成されている。
そして、運転制御部５が、おやすみタイマー運転及びおはようタイマー運転の夫々を、運転開始後、許容連続燃焼運転時間が経過するまでは、燃焼式暖房部Ｈｆを作動し、許容連続燃焼運転時間が経過すると、燃焼式暖房部Ｈｆの作動を停止すると共に電気式暖房部Ｈｅを作動させるハイブリッドモードで実行可能に構成されている。
【００５１】
以下、運転制御部５の各運転における制御動作を具体的に説明する。
運転制御部５は、メイン運転スイッチ４１により運転の開始が指令されると、ファン駆動用モータ７ｍを作動させ、並びに、燃料断続弁２９及び燃料調整弁３０を開弁すると共に、点火器３１を作動させる点火処理を実行して、ガスバーナ１を燃焼させることにより、ガスバーナ１の燃焼ガスにより生成された温風を室内に吹き出すガス燃焼式暖房運転を開始し、運転ランプ５１を点灯する。
運転制御部５は、ガス燃焼式暖房運転の実行中は、室温センサ２５の検出温度が温度／時間設定スイッチ４６にて設定された暖房目標温度になるように、燃料調整弁３０の開度を調整してガスバーナ１の燃焼量を調整する燃焼制御を実行する。
【００５２】
運転制御部５は、ガス燃焼式暖房運転の実行中に、メイン運転スイッチ４１が再度押されて運転の停止が指令されると、燃料断続弁２９及び燃料調整弁３０を閉弁すると共に、ファン駆動用モータ７ｍを停止する消火処理を実行して、ガスバーナ１を消火させることにより、ガス燃焼式暖房運転を停止し、並びに、運転ランプ５１を消灯する。
又、運転制御部５は、ガス燃焼式暖房運転の開始に伴って、消し忘れ防止タイマーを作動させ、消し忘れ防止タイマーがタイムアップすると、消火処理を実行してガス燃焼式暖房運転を停止する。
ちなみに、消し忘れ防止タイマーは、温度／時間設定スイッチ４６により、３時間、５時間、８時間のいずれかに設定することができる。
【００５３】
又、運転制御部５は、ガス燃焼式暖房運転の実行中に、通風路温度センサ２６の検出温度が予め設定された過熱防止用設定温度以上になったり、火炎センサ２８によりガスバーナ１の立ち消えが検出されると、消火処理を実行してガス燃焼式暖房運転を停止する。
【００５４】
運転制御部５は、電気ヒータ運転スイッチ４４により電気式暖房運転の開始が指令されると、ファン駆動用モータ７ｍ及びシーズヒータ４を作動させることにより、電気式暖房運転を開始すると共に、ヒータ運転ランプ５４を点灯する。
又、運転制御部５は、ヒータ出力切換スイッチ４５が繰り返し押されると、ヒータ出力ランプ５５を全て消灯している状態から、ヒータ出力切換スイッチ４５が押されるに伴って、弱のヒータ出力に対応するヒータ出力ランプ５５を点灯する状態、強のヒータ出力に対応するヒータ出力ランプ５５を点灯する状態、全てのヒータ出力ランプ５５を消灯する状態に、ヒータ出力ランプ５５の制御状態を順次変化させる。
【００５５】
そして、運転制御部５は、電気式暖房運転の実行中は、全てのヒータ出力ランプ５５を消灯している状態では、室温センサ２５の検出温度が温度／時間設定スイッチ４６にて設定された暖房目標温度になるように、シーズヒータ４の出力を調整するヒータ出力制御を実行することにより、温度調整モードにて電気式暖房運転を実行する。
又、運転制御部５は、電気式暖房運転の実行中は、弱、強のいずれかのヒータ出力に対応するヒータ出力ランプ５５を点灯させているときは、点灯させているヒータ出力ランプ５５に対応するヒータ出力でシーズヒータ４を作動させるヒータ出力制御を実行することにより、定出力モードにて電気式暖房運転を実行する。
【００５６】
運転制御部５は、温度調整モードか定出力モードによる電気式暖房運転の実行中に、電気ヒータ運転スイッチ４４が再度押されて、電気式暖房運転の停止が指令されと、シーズヒータ４及びファン駆動用モータ７ｍの作動を停止して、電気式暖房運転を停止する。
又、運転制御部５は、電気式暖房運転の開始に伴って、消し忘れ防止タイマーを作動させ、消し忘れ防止タイマーがタイムアップすると、シーズヒータ４及びファン駆動用モータ７ｍの作動を停止して、電気式暖房運転を停止する。
又、運転制御部５は、電気式暖房運転の実行中に、通風路温度センサ２６の検出温度が過熱防止用設定温度以上になると、シーズヒータ４及びファン駆動用モータ７ｍの作動を停止して、電気式暖房運転を停止する。
【００５７】
つまり、運転制御部５が、電気式暖房部Ｈｅを、室温を検出する室温センサ２５の検出温度が暖房目標温度になるようにシーズヒータ４の出力を調整する温度調整モードか、シーズヒータ４をヒータ出力切換スイッチ４５により設定されたヒータ出力で作動させる定出力モードで択一的に運転可能に構成されていることになる。
そして、ヒータ出力切換スイッチ４５が、ヒータ出力設定手段Ｍ４として機能し、ヒータ出力を複数段階（この実施形態では、強、弱の２段階）に設定可能に構成されていることになる。
又、ヒータ出力切換スイッチ４５は、電気式暖房部Ｈｅを温度調整モードか定出力モードのいずれで運転するかを運転制御部５に指令する電気式暖房運転モード指令手段Ｍ５としても機能する。
【００５８】
使用者は、おやすみタイマー運転を開始するときは、おやすみタイマースイッチ４２を押すと共に、温度／時間設定スイッチ４６により、おやすみタイマー運転を実行させる目標運転時間を設定する。
運転制御部５は、おやすみタイマースイッチ４２が押されると、おやすみタイマー運転を開始し、開始後、温度／時間設定スイッチ４６により設定された目標運転時間が経過すると、停止用時間条件が満たされたと判断して、おやすみタイマー運転を停止する。この実施形態では、温度／時間設定スイッチ４６により、おやすみタイマー運転の目標運転時間を許容連続燃焼運転時間より長い時間にも設定可能に構成されている。例えば、温度／時間設定スイッチ４６により、目標運転時間を３０分、４５分、６０分、７５分、９０分、１２０分等、複数段階に設定可能に構成される。
【００５９】
つまり、おやすみタイマースイッチ４２及び温度／時間設定スイッチ４６により、おやすみタイマー運転を実行させる目標運転時間を許容連続燃焼運転時間より長い時間にも設定可能な停止タイマー設定手段Ｍ１が構成される。
そして、運転制御部５が、おやすみタイマー運転を継続して実行する時間が停止タイマー設定手段Ｍ１にて設定された目標運転時間に達すると、停止用時間条件が満たされたと判断するように構成されていることになる。
【００６０】
使用者は、おはようタイマー運転を予約するときは、おはようタイマースイッチ４３を押して、温度／時間設定スイッチ４６により、現時点からおはようタイマー運転を開始したい時点までの時間間隔を設定する。
運転制御部５は、おはようタイマースイッチ４３が押されると、その時点から温度／時間設定スイッチ４６により設定された時間間隔が経過すると、開始用時間条件が満たされたと判断して、おはようタイマー運転を開始するように構成されている。
又、運転制御部５は、おはようタイマー運転の実行中に、メイン運転スイッチ４１が押されると、おはようタイマー運転を停止するように構成されている。
【００６１】
つまり、おはようタイマースイッチ４３及び温度／時間設定スイッチ４６により、おはようタイマー運転を開始させるまでの時間間隔を任意に設定可能な開始タイマー設定手段Ｍ２が構成され、メイン運転スイッチ４１は、運転制御部５におはようタイマー運転の停止を手動操作で指令するタイマー運転停止指令手段Ｍ３として機能する。
そして、運転制御部５が、開始タイマー設定手段Ｍ２にて設定された時間間隔が経過すると開始用時間条件が満たされたと判断し、並びに、タイマー運転停止指令手段Ｍ３からの指令に基づいておはようタイマー運転を停止するように構成されていることになる。
【００６２】
次に、図６に示すフローチャートに基づいて、おやすみタイマー運転における運転制御部５の制御動作を説明する。尚、おやすみタイマー運転の実行中は、ファン駆動用モータ７ｍを継続して作動させているので、以下の説明では、ファン駆動用モータ７ｍの制御の説明を省略する。
図示を省略するが、運転制御部５は、おやすみタイマースイッチ４２が押されると、おやすみタイマーランプ５２を点灯させると共に、おやすみタイマー運転の運転時間であるタイマー運転時間Ｔの計時を開始する。
運転制御部５は、おやすみタイマースイッチ４２が押されたときに、ガスバーナ１を燃焼させていない場合は、タイマー運転時間Ｔの計時を開始する（図示省略）と共に、点火処理を実行してガスバーナ１の燃焼を開始することにより、おやすみタイマー運転を開始し、ガスバーナ１の燃焼中でガス燃焼式暖房運転の実行中の場合は、タイマー運転時間Ｔの計時を開始する（図示省略）ことにより、おやすみタイマー運転を開始し、以降、室温センサ２５の検出温度が温度／時間設定スイッチ４６にて設定された暖房目標温度になるように燃焼制御を実行する（ステップ＃１〜３）。
【００６３】
運転制御部５は、この燃焼制御を、メイン運転スイッチ４１により運転停止が指令されず、且つ、タイマー運転時間Ｔが温度／時間設定スイッチ４６により設定された目標運転時間に達せず（タイムアップせず）、且つ、タイマー運転時間Ｔが許容連続燃焼運転時間Ｔｍａｘに達しない間、継続して実行する（ステップ＃３〜６）。
ステップ＃４において、メイン運転スイッチ４１により運転停止が指令された場合、あるいは、ステップ＃５において、タイマー運転時間Ｔが温度／時間設定スイッチ４６により設定された目標運転時間に達した場合は、消火処理を実行してガスバーナ１の燃焼を停止し（ステップ＃１３）、更に、図示を省略するが、おやすみタイマーランプ５２を消灯して、おやすみタイマー運転を終了する。
【００６４】
運転制御部５は、ステップ＃６において、タイマー運転時間Ｔが許容連続燃焼運転時間Ｔｍａｘに達したと判断した場合は、消火処理を実行してガスバーナ１の燃焼を停止し、続いて、シーズヒータ４を作動させ、以降、メイン運転スイッチ４１により運転停止が指令されず、且つ、タイマー運転時間Ｔが温度／時間設定スイッチ４６により設定された目標運転時間に達しない（タイムアップしない）間、シーズヒータ４を作動させると共に、ヒータ出力切換スイッチ４５の操作状態（即ち、ヒータ出力ランプ５５の制御状態）に応じて、温度調整モードか定出力モードかでシーズヒータ４の出力を調整するヒータ出力制御を実行する（ステップ＃７〜１１）。
【００６５】
つまり、運転制御部５は、全てのヒータ出力ランプ５５を消灯しているときは、室温センサ２５の検出温度が温度／時間設定スイッチ４６にて設定された暖房目標温度になるようにシーズヒータ４の出力を調整するヒータ出力制御を実行することにより、温度調整モードによる電気式暖房運転を実行する。
又、運転制御部５は、弱、強のいずれかのヒータ出力に対応するヒータ出力ランプ５５を点灯させているときは、点灯させているヒータ出力ランプ５５に対応するヒータ出力でシーズヒータ４を作動させるヒータ出力制御を実行することにより、定出力モードによる電気式暖房運転を実行する。
【００６６】
運転制御部５は、ステップ＃１０において、メイン運転スイッチ４１により運転停止が指令された場合は、シーズヒータ４の作動を停止し（ステップ＃１２）、更に、図示を省略するが、おやすみタイマーランプ５２を消灯して、おやすみタイマー運転を終了する。
又、運転制御部５は、ステップ＃１１において、タイマー運転時間Ｔが温度／時間設定スイッチ４６により設定された目標運転時間に達したと判断すると、シーズヒータ４の作動を停止し（ステップ＃１２）、更に、図示を省略するが、おやすみタイマーランプ５２を消灯して、おやすみタイマー運転を終了する。
【００６７】
又、図示を省略するが、運転制御部５は、おやすみタイマー運転の実行中、ガスバーナ１を燃焼させているときに、通風路温度センサ２６の検出温度が過熱防止用設定温度以上になったり、火炎センサ２８によりガスバーナ１の立ち消えが検出されると、消火処理を実行しておやすみタイマー運転を停止し、シーズヒータ４を作動させているときに、通風路温度センサ２６の検出温度が過熱防止用設定温度以上になると、シーズヒータ４の作動を停止させておやすみタイマー運転を停止する。
【００６８】
つまり、温度／時間設定スイッチ４６により目標運転時間が許容連続燃焼運転時間である６０分以下の時間に設定された場合は、ステップ＃５からステップ＃１３に進んで、許容連続燃焼運転時間以下の時間でおやすみタイマー運転が終了し、温度／時間設定スイッチ４６により目標運転時間が許容連続燃焼運転時間よりも長い時間に設定された場合は、ステップ＃７から先に進んで、許容連続燃焼運転時間よりも長い時間でおやすみタイマー運転が実行される。
要するに、おやすみタイマー運転が許容連続燃焼運転時間よりも長い時間にわたって実行可能に構成されていることになる。
【００６９】
次に、図７に示すフローチャートに基づいて、おはようタイマー運転における運転制御部５の制御動作を説明する。尚、おはようタイマー運転の実行中はファン駆動用モータ７ｍを継続して作動させているので、以下の説明では、ファン駆動用モータ７ｍの制御の説明を省略する。
図示を省略するが、運転制御部５は、おはようタイマースイッチ４３が押されると、おはようタイマーランプ５３を点灯させると共に、計時を開始する。
そして、運転制御部５は、計時時間が温度／時間設定スイッチ４６により設定された時間間隔に達すると、おはようタイマー運転の運転時間であるタイマー運転時間Ｔの計時を開始する（図示省略）と共に、点火処理を実行してガスバーナ１の燃焼を開始することにより、おはようタイマー運転を開始し、以降、室温センサ２５の検出温度が温度／時間設定スイッチ４６にて設定された暖房目標温度になるように燃焼制御を実行する（ステップ＃２１，２２）。
【００７０】
運転制御部５は、この燃焼制御を、メイン運転スイッチ４１により運転停止が指令されず、且つ、タイマー運転時間Ｔが許容連続燃焼運転時間Ｔｍａｘに達しない間、継続して実行する（ステップ＃２２〜２４）。
ステップ＃２３において、メイン運転スイッチ４１により運転停止が指令された場合は、消火処理を実行してガスバーナ１の燃焼を停止し（ステップ＃３０）、更に、図示を省略するが、おはようタイマーランプ５３を消灯して、おはようタイマー運転を終了する。
【００７１】
運転制御部５は、ステップ＃２４において、タイマー運転時間Ｔが許容連続燃焼運転時間Ｔｍａｘに達したと判断した場合は、消火処理を実行してガスバーナ１の燃焼を停止し、続いて、シーズヒータ４を作動させ、以降、メイン運転スイッチ４１により運転停止が指令されない間、ヒータ出力切換スイッチ４５の操作状態（即ち、ヒータ出力ランプ５５の制御状態）に応じて、温度調整モードか定出力モードかでシーズヒータ４の出力を調整するヒータ出力制御を実行する（ステップ＃２５〜２８）。
【００７２】
運転制御部５は、ステップ＃２８において、メイン運転スイッチ４１により運転停止が指令されると、シーズヒータ４の作動を停止し（ステップ＃２９）、更に、図示を省略するが、おはようタイマーランプ５３を消灯して、おはようタイマー運転を終了する。
【００７３】
図示を省略するが、運転制御部５は、おはようタイマー運転の開始に伴って、消し忘れ防止タイマーを作動させ、消し忘れ防止タイマーがタイムアップすると、消火処理を実行しておはようタイマー運転を停止する。
又、運転制御部５は、おはようタイマー運転の実行中、ガスバーナ１を燃焼させているときに、通風路温度センサ２６の検出温度が過熱防止用設定温度以上になったり、火炎センサ２８によりガスバーナ１の立ち消えが検出されると、消火処理を実行しておはようタイマー運転を停止し、シーズヒータ４を作動させているときに、通風路温度センサ２６の検出温度が過熱防止用設定温度以上になると、シーズヒータ４の作動を停止させておはようタイマー運転を停止する。
【００７４】
つまり、タイマー運転時間Ｔが許容連続燃焼運転時間Ｔｍａｘ以下のときに、使用者によってメイン運転スイッチ４１により運転停止が指令された場合は、ステップ＃２３からステップ＃３０に進んで、許容連続燃焼運転時間以下の時間でおはようタイマー運転が終了し、タイマー運転時間Ｔが許容連続燃焼運転時間Ｔｍａｘを越えた以降に、使用者によってメイン運転スイッチ４１により運転停止が指令された場合は、ステップ＃２５から先に進んで、許容連続燃焼運転時間より長い時間でおはようタイマー運転が実行される。
要するに、おはようタイマー運転が許容連続燃焼運転時間よりも長い時間にわたって実行可能に構成されていることになる。
【００７５】
そして、おやすみタイマー運転やおはようタイマー運転を許容連続燃焼運転時間よりも長い時間にわたって実行させるにしても、運転開始後、許容連続燃焼運転時間が経過するまでは、燃焼式暖房部Ｈｆが作動することによりガスバーナ１が燃焼するが、許容連続燃焼運転時間が経過すると、燃焼式暖房部Ｈｆの作動が停止してガスバーナ１が消火すると共に、電気式暖房部Ｈｅが作動することになる。電気式暖房部Ｈｅが作動しているときは、ガスバーナ１が消火していて、暖房対象空間の空気が汚染されることがないことから、暖房対象空間の換気推奨時間毎の換気は必要ではないので、自動停止タイマー運転や自動開始タイマー運転を許容連続燃焼運転時間よりも長い時間にわたって実行させても、安全性が損なわれることがない。
【００７６】
温度ヒューズ２７が溶断する温度は、運転制御部５の耐熱温度に設定される。
そして、温度ヒューズ２７は、運転制御部５を構成する電気回路（図示省略）中において、溶断することによって燃料断続弁２９及び燃料調整弁３０夫々への給電、並びに、シーズヒータ４への給電を停止可能な位置に設けられている。
つまり、ハイブリッド式温風暖房機が何らかの要因により過熱しても、運転制御部５の温度が耐熱温度を越えるまでに、温度ヒューズ２７が溶断することにより、ガスバーナ１が燃焼中の場合は、燃料断続弁２９及び燃料調整弁３０が閉じてガスバーナ１が消火され、シーズヒータ４が作動中の場合は、シーズヒータ４の作動が停止されるので、運転制御部５が熱により故障するのが防止される。
【００７７】
〔第２実施形態〕
以下、本発明の第２実施形態を説明するが、この第２実施形態は、おやすみタイマー運転及びおはようタイマー運転の別の実施形態を説明するものであり、操作部６以外のハイブリッド式温風暖房機の構成は上記の第１実施形態と同様である。従って、重複説明を避けるために、第１実施形態と同じ構成要素や同じ作用を有する構成要素については、同じ符号を付すことにより説明を省略して、主として、おやすみタイマー運転及びおはようタイマー運転に関連する構成ついて説明する。
【００７８】
この実施形態では、運転制御部５が、おやすみタイマー運転及びおはようタイマー運転の夫々を、ハイブリッドモードか、電気式暖房部Ｈｅを単独で作動させる電気単独モードで択一的に実行可能に構成されている。
そして、おやすみタイマー運転及びおはようタイマー運転の夫々を、ハイブリッドモードか電気単独モードのいずれで実行するかを運転制御部５に指令するタイマー運転モード指令手段Ｍ６が設けられている。
【００７９】
図８に示すように、操作部６には、タイマー運転モード指令手段Ｍ６として、ハイブリッドモードか電気単独モードのいずれかを指令するタイマーモード切換スイッチ４７が設けられ、そのタイマー運転切換スイッチ４７によりハイブリッドモードか電気単独モードのいずれが指令されているかを表示するモード表示ランプ５７が設けられている。
又、図９に示すように、運転制御部５には、タイマーモード切換スイッチ４７からの指令情報が入力され、運転制御部５は、そのタイマーモード切換スイッチ４７からの指令情報に基づいて、モード表示ランプ５７の点灯を制御するように構成されている。
【００８０】
次に、図１０に示すフローチャートに基づいて、おやすみタイマー運転における運転制御部５の制御動作を説明する。尚、おやすみタイマー運転の実行中はファン駆動用モータ７ｍを継続して作動させているので、以下の説明では、ファン駆動用モータ７ｍの制御の説明を省略する。
図示を省略するが、運転制御部５は、おやすみタイマースイッチ４２が押されると、おやすみタイマーランプ５２を点灯させると共に、おやすみタイマー運転の運転時間であるタイマー運転時間Ｔの計時を開始する。
運転制御部５は、おやすみタイマースイッチ４２が押されると、ステップ＃ａにおいて、タイマーモード切換スイッチ４７によりハイブリッドモードが指令されているか否かを判断する。
そして、ハイブリッドモードが指令されていると判断した場合は、その旨をモード表示ランプ５７により表示したのち（図示を省略）、図６に示すフローチャートのステップ＃１〜１３と同様の制御を実行して、ハイブリッドモードによるおやすみタイマー運転を実行する。
【００８１】
又、ステップ＃ａにおいて、ハイブリッドモードが指令されていないと判断した場合は、電気単独モードが指令されている旨をモード表示ランプ５７により表示したのち（図示を省略）、ステップ＃８に進んで、電気単独モードによるおやすみタイマー運転を実行する。
つまり、電気単独モードによるおやすみタイマー運転では、シーズヒータ４を作動させ、以降、メイン運転スイッチ４１により運転停止が指令されず、且つ、タイマー運転時間Ｔが温度／時間設定スイッチ４６により設定された目標運転時間に達しない（タイムアップしない）間、ヒータ出力切換スイッチ４５の操作状態（即ち、ヒータ出力ランプ５５の制御状態）に応じて、温度調整モードか定出力モードかでシーズヒータ４の出力を調整するヒータ出力制御を実行する（ステップ＃８〜１１）。
【００８２】
この第２実施形態においても、温度／時間設定スイッチ４６により目標運転時間が許容連続燃焼運転時間以下の時間に設定された場合は、許容連続燃焼運転時間以下の時間でおやすみタイマー運転が終了し、温度／時間設定スイッチ４６により目標運転時間が許容連続燃焼運転時間よりも長い時間に設定された場合は、許容連続燃焼運転時間よりも長い時間でおやすみタイマー運転が実行される。
つまり、おやすみタイマー運転が許容連続燃焼運転時間よりも長い時間にわたって実行可能に構成されていることになる。
【００８３】
次に、図１１に示すフローチャートに基づいて、おはようタイマー運転における運転制御部５の制御動作を説明する。尚、おはようタイマー運転の実行中はファン駆動用モータ７ｍを継続して作動させているので、以下の説明では、ファン駆動用モータ７ｍの制御の説明を省略する。
図示を省略するが、運転制御部５は、おはようタイマースイッチ４３が押されると、おはようタイマーランプ５３を点灯させると共に、計時を開始する。
そして、運転制御部５は、計時時間が温度／時間設定スイッチ４６により設定された時間間隔に達すると、ステップ＃ｂにおいて、タイマーモード切換スイッチ４７によりハイブリッドモードが指令されているか否かを判断する。
そして、ハイブリッドモードが指令されていると判断した場合は、その旨をモード表示ランプ５７により表示したのち（図示を省略）、図７に示すフローチャートのステップ＃２１〜３０と同様の制御を実行して、ハイブリッドモードによるおはようタイマー運転を実行する。
【００８４】
又、ステップ＃ｂにおいて、ハイブリッドモードが指令されていないと判断した場合は、電気単独モードが指令されている旨をモード表示ランプ５７により表示したのち（図示を省略）、ステップ＃２６に進んで、電気単独モードによるおはようタイマー運転を実行する。
つまり、電気単独モードによるおはようタイマー運転では、シーズヒータ４を作動させ、以降、メイン運転スイッチ４１により運転停止が指令されない間、ヒータ出力切換スイッチ４５の操作状態（即ち、ヒータ出力ランプ５５の制御状態）に応じて、温度調整モードか定出力モードかでシーズヒータ４の出力を調整するヒータ出力制御を実行する（ステップ＃２６〜２８）。
【００８５】
この第２実施形態においても、タイマー運転時間Ｔが許容連続燃焼運転時間Ｔｍａｘ以下のときに、使用者によってメイン運転スイッチ４１により運転停止が指令された場合は、許容連続燃焼運転時間以下の時間でおはようタイマー運転が終了し、タイマー運転時間Ｔが許容連続燃焼運転時間Ｔｍａｘを越えた以降に、使用者によってメイン運転スイッチ４１により運転停止が指令された場合は、許容連続燃焼運転時間よりも長い時間でおはようタイマー運転が実行される。
つまり、おはようタイマー運転が許容連続燃焼運転時間よりも長い時間にわたって実行可能に構成されていることになる。
そして、おやすみタイマー運転やおはようタイマー運転を許容連続燃焼運転時間よりも長い時間にわたって実行させるにしても、上記の第１実施形態で説明したのと同様に、安全性が損なわれることがない。
【００８６】
〔別実施形態〕
（Ａ）停止タイマー設定手段Ｍ１を構成するに、上記の実施形態では、おやすみタイマー運転を実行させる目標運転時間を設定するように構成したが、おやすみタイマー運転を停止する時刻を設定するように構成しても良い。
【００８７】
（Ｂ）開始タイマー設定手段Ｍ２を構成するに、上記の実施形態では、おはようタイマー運転を開始させるまでの時間間隔を設定するように構成したが、おはようタイマー運転を開始させる時刻を設定するように構成しても良い。
【００８８】
（Ｃ）上記の実施形態では、運転制御部５におはようタイマー運転の停止を手動操作で指令するタイマー運転停止指令手段Ｍ３を設けたが、これに代えて、おはようタイマー運転を実行させる目標運転時間を設定する手段を設けて、おはようタイマー運転の開始後、その手段にて設定した目標運転時間が経過すると、運転制御部５によりおはようタイマー運転を自動的に停止させるように構成しても良い。
【００８９】
（Ｄ）シーズヒータ４の配置位置は、上記の実施形態において例示した位置に限定されるものではなく、例えば、温風通風路１１内やバイパス風路２３内でも良い。
【００９０】
（Ｅ）上記の実施形態では、シーズヒータ４を燃焼式暖房用送風機２の通風作用によって通風される通風領域に配置して、燃焼式暖房用送風機２と電気式暖房用送風機３とに共用される共用送風機７を設けたが、燃焼式暖房用送風機２と電気式暖房用送風機３とを別個に配置して、シーズヒータ４を電気式暖房用送風機３の通風作用によって通風される通風領域に配置しても良い。
【００９１】
（Ｆ）上記の実施形態では、おやすみタイマー運転とおはようタイマー運転の両方を実行可能に構成したが、いずれか一方のみを実行可能に構成しても良い。
【００９２】
（Ｇ）上記の実施形態では、ハイブリッドモードにおいて、おやすみタイマー運転やおはようタイマー運転の運転開始後、許容連続燃焼運転時間が経過するまでは、燃焼式暖房部Ｈｆのみを作動させたが、燃焼式暖房部Ｈｆと電気式暖房部Ｈｅとの両方を作動させるように構成しても良い。この場合、例えば、シーズヒータ４の出力を所定の設定出力に維持する状態で、室温センサ２５の検出温度が温度／時間設定スイッチ４６にて設定された暖房目標温度になるように、燃料調整弁３０の開度を調整してガスバーナ１の燃焼量を調整するように構成することができる。
【００９３】
（Ｈ）電気ヒータの具体例としては、上記の実施形態において例示したシーズヒータ４に限定されるものではなく、ニクロム線ヒータ、石英管ヒータ、セラミックヒータ、カーボンヒータ等、種々のものを適用することができる。
【００９４】
（Ｉ）上記の実施形態のようにガスバーナ１を多段階燃焼型に構成する場合、上下方向に並べる燃焼室１２の室数は、上記の実施形態の如き２室に限定されるものではなく、３室以上でも良い
又、ガスバーナ１から噴出されるガス燃料を１室の燃焼室１２で完全燃焼するように構成して、燃焼室１２を１室だけ設ける構成としても良い。
【００９５】
（Ｊ）バーナとしては、上記の実施形態の如きガス燃料を燃料とするガスバーナ１に限定されるものではなく、石油等の液体燃料を燃料とするバーナも適用することができる。
【００９６】
尚、上記の実施形態（別実施形態を含む、以下同じ）で開示される構成は、矛盾が生じない限り、他の実施形態で開示される構成と組み合わせて適用することが可能であり、又、本明細書において開示された実施形態は例示であって、本発明の実施形態はこれに限定されず、本発明の目的を逸脱しない範囲内で適宜改変することが可能である。
【産業上の利用可能性】
【００９７】
以上説明したように、安全性を担保しながら、使い勝手を向上し得るハイブリッド式温風暖房機を提供することができる。
【符号の説明】
【００９８】
１      ガスバーナ（バーナ）
２      燃焼式暖房用送風機
３      電気式暖房用送風機
４      シーズヒータ（電気ヒータ）
５      運転制御部（運転制御手段）
７      共用送風機
２５    室温センサ（室温検出手段）
Ｈｅ    電気式暖房部
Ｈｈ    燃焼式暖房部
Ｍ１    停止タイマー設定手段
Ｍ２    開始タイマー設定手段
Ｍ３    タイマー運転停止指令手段
Ｍ４    ヒータ出力設定手段
Ｍ５    電気式暖房運転モード指令手段
Ｍ６    タイマー運転モード指令手段
【図１】
2017142023.tif 000003
【図２】
2017142023.tif 000004
【図３】
2017142023.tif 000005
【図４】
2017142023.tif 000006
【図５】
2017142023.tif 000007
【図６】
2017142023.tif 000008
【図７】
2017142023.tif 000009
【図８】
2017142023.tif 000010
【図９】
2017142023.tif 000011
【図１０】
2017142023.tif 000012
【図１１】
2017142023.tif 000013